(57)【特許請求の範囲】
【請求項１】
被写体を撮影する撮影手段と、
印刷媒体に印刷される画像の配置に関する複数の候補の中から、ユーザからの望みの前記配置の選択を受け付ける第１の受付手段と、
前記印刷媒体に印刷される前記画像のイメージの作成に用いられる画像を、前記撮影手段により撮影された複数の画像の中からユーザの操作に応じて選択する選択手段と、
前記撮影手段により撮影され、前記選択手段により選択された前記被写体の画像を、前記第１の受付手段により受け付けられた前記選択に従って配置し、前記印刷媒体に印刷される前記画像のイメージを作成する作成手段と、
前記作成手段により作成された前記イメージを表示する第１の表示手段と、
前記第１の表示手段により表示された前記イメージの一部を、ペンによる手書き編集入力を受け付ける編集領域として指定する指定手段と、
前記指定手段により指定された前記編集領域の前記画像を表示する第２の表示手段と、
前記第２の表示手段により表示された前記編集領域の前記画像に対して入力される、隣り合う画像に跨って重ねて入力可能な前記ペンによる手書き編集入力を受け付ける第２の受付手段と、
前記第２の受付手段により受け付けられた前記ペンによる手書き編集入力に基づいて前記イメージを編集する編集手段と、
前記編集手段により編集された前記イメージを印刷する印刷手段と
を備え、
前記指定手段は、前記イメージ上に配置された隣り合う画像に跨って前記編集領域を指定することが可能とされ、
前記作成手段は、前記第１の受付手段により選択が受け付けられた１つの候補に設けられる複数の配置位置に、前記選択手段により選択された１枚の同じ画像をユーザによる操作に応じて配置し、前記印刷媒体に印刷される前記画像のイメージを作成し、
前記第１の表示手段と前記第２の表示手段は、同一の画面により構成され、前記第１の表示手段より前記第２の表示手段の方が前記画面内で大きく表示され、
前記イメージは、前記画面内の、前記イメージの表示位置として予め指定された第１の位置に表示され、前記編集領域の前記画像は、前記画面内の、前記第１の位置とは異なる第２の位置に表示され、
前記第１の表示手段に、前記第２の受付手段により受け付けられた前記ペンによる手書き編集入力を、前記イメージと重ねて表示させ、前記第２の表示手段に、前記第２の受付手段により受け付けられた前記ペンによる手書き編集入力を、前記編集領域の前記画像と重ねて表示させる表示制御手段をさらに備える
ことを特徴とする画像印刷装置。
【請求項２】
前記編集手段による編集の対象になる画像として複数枚の画像をユーザが選択することが可能とされている場合、前記選択手段は、さらに、前記撮影手段により撮影された複数の画像の中から選択された１枚の同じ画像を、編集の対象になる２枚以上の画像として割り当てる
ことを特徴とする請求項１に記載の画像印刷装置。
【発明の詳細な説明】
【０００１】
【発明の属する技術分野】
本発明は、画像印刷装置に関し、特に、撮影画像に、より多様な編集処理を施すことができるようにした画像印刷装置に関する。
【０００２】
【従来の技術】
従来、マス目状に分割されたシールシートの各マス目に、ユーザを撮影した画像をプリントし、提供する画像印刷装置(例えば、プリント倶楽部(商標))が知られている。
【０００３】
このような画像印刷装置の中には、撮影した画像に対して、ユーザにより書き加えられたマークや落書きを、撮影した画像と一緒にシールシートに印刷する編集機能を備えたものがある。
【０００４】
【発明が解決しようとする課題】
しかしながら、従来の画像印刷装置の編集機能においては、撮影画像単位で、編集を受け付けることは可能であるが、シールシートに印刷される画像全体を対象として、編集を受け付けることができないという課題があった。
【０００５】
すなわち、図１は、従来の画像印刷装置において、ユーザからの編集操作の入力を受け付けるモニタのモニタ表示１１の例を示している。図１において、画像印刷装置のモニタは、編集操作の対象として、撮影画像１２を表示している。また、モニタには、撮影画像１２に対して、種々の編集を施すために、ペン１３−１およびペン１３−２(以下、区別の必要がない場合、ペン１３と称する)、文字１４−１および文字１４−２(以下、区別の必要がない場合、文字１４と称する)、スタンプ１５−１およびスタンプ１５−２(以下、区別の必要がない場合、スタンプ１５と称する)、消しゴム１６−１および消しゴム１６−２(以下、区別の必要がない場合、消しゴム１６と称する)が表示されている。
【０００６】
ユーザは、画像印刷装置のモニタの近辺に設置された入力用のペン(以下、タッチペンと称する)により、ペン１３に触れてから、撮影画像１２上にタッチペンを走らせると、タッチペンを走らせた部分をなぞるようにして、撮影画像１２上に、線分が表示される。また、タッチペンにより、文字１４に触れた後、撮影画像１２上の任意の位置に触れると、モニタ上の所定の位置に、文字の一覧が表示され、一覧の中の希望する文字に触れることにより、撮影画像１２の、先にタッチペンで触れた位置に、文字が表示される。また、タッチペンでスタンプ１５に触れると、モニタの所定の位置に、各種記号などよりなるスタンプの一覧が表示され、ユーザは、その中から希望するスタンプに触れることによりスタンプを選択した後、撮影画像１２上の希望する位置に触れると、その位置に選択されたスタンプが表示される。また、ペン１３、文字１４、およびスタンプ１５により撮影画像１２上に加えられた落書き(編集入力)を消去したい場合、ユーザは、タッチペンにより消しゴム１６に触れてから、消去したい部分に触れることにより、入力された落書きを消去することができる。
【０００７】
従来の画像印刷装置においては、図１に示されるように、撮影画像１２単位で、ユーザからの編集操作の入力を受け付けるようになされている。従って、最終的にシールシートに印刷される画像全体を１つの単位としてモニタに表示し、編集操作の入力を受け付ける機能はなかった。そのため、ユーザは、最終的に画像が印刷されたシールシート全体をイメージしながら、編集操作を入力することができなかった。
【０００８】
また、従来の画像印刷装置の編集機能においては、同一の撮影画像に対して、異なる編集処理を施し、印刷媒体に印刷することができないという課題があった。
【０００９】
すなわち、編集処理を施された画像が印刷されたシールシートは、図２に示すように、複数の同一画像で構成され、面白みに欠けるという問題があった。図２には、従来の画像印刷装置により画像が印刷されたシールシートの例が示されている。図２において、シールシート３１には、編集処理を施された画像である編集画像３２−１乃至３２−４が印刷されている。編集画像３２−１乃至３２−４は、すべて、同一の編集処理が施された同一の撮影画像である。図２に示すように、従来の画像印刷装置においては、１つの撮影画像に対しては、１通りの編集処理しか受け付けないようになっているため、１つのシールシートを、より多様な画像で構成することができなかった。
【００１０】
本発明はこのような状況に鑑みてなされたものであり、１つのシールシートに印刷される撮影画像に対して、より多様な編集処理を施すことができるようにするものである。
【００２８】
【課題を解決するための手段】
本発明の画像印刷装置は、被写体を撮影する撮影手段と、印刷媒体に印刷される画像の配置に関する複数の候補の中から、ユーザからの望みの配置の選択を受け付ける第１の受付手段と、印刷媒体に印刷される画像のイメージの作成に用いられる画像を、撮影手段により撮影された複数の画像の中からユーザの操作に応じて選択する選択手段と、撮影手段により撮影され、選択手段により選択された被写体の画像を、第１の受付手段により受け付けられた選択に従って配置し、印刷媒体に印刷される画像のイメージを作成する作成手段と、作成手段により作成されたイメージを表示する第１の表示手段と、第１の表示手段により表示されたイメージの一部を、ペンによる手書き編集入力を受け付ける編集領域として指定する指定手段と、指定手段により指定された編集領域の画像を表示する第２の表示手段と、第２の表示手段により表示された編集領域の画像に対して入力される、隣り合う画像に跨って重ねて入力可能なペンによる手書き編集入力を受け付ける第２の受付手段と、第２の受付手段により受け付けられたペンによる手書き編集入力に基づいてイメージを編集する編集手段と、編集手段により編集されたイメージを印刷する印刷手段とを備え、指定手段は、イメージ上に配置された隣り合う画像に跨って編集領域を指定することが可能とされ、作成手段は、第１の受付手段により選択が受け付けられた１つの候補に設けられる複数の配置位置に、選択手段により選択された１枚の同じ画像をユーザによる操作に応じて配置し、印刷媒体に印刷される画像のイメージを作成することを特徴とする。
【００２９】
撮影手段は、例えば、撮影装置により、第１の受付手段は、例えば、CPUにより、作成手段は、例えば、表示プロセッサにより、第１の表示手段は、例えば、モニタにより、指定手段は、例えば、タッチペンにより、第２の表示手段は、例えば、モニタにより、第２の受付手段は、例えば、タッチペンおよびタッチパネルにより、編集手段は、例えば、表示プロセッサにより、印刷手段は、例えば、プリンタにより、それぞれ構成される。
【００３０】
本発明の画像印刷装置においては、被写体が撮影され、印刷媒体に印刷される画像の配置に関する複数の候補の中から、ユーザからの望みの配置の選択が受け付けられ、印刷媒体に印刷される画像のイメージの作成に用いられる画像が、撮影された複数の画像の中からユーザの操作に応じて選択され、選択された被写体の画像が、受け付けられた選択に従って配置され、印刷媒体に印刷される画像のイメージが作成され、作成されたイメージが表示され、表示されたイメージの一部が、ペンによる手書き編集入力を受け付ける編集領域として指定され、指定された編集領域の画像が表示され、表示された編集領域の画像に対して入力される、隣り合う画像に跨って重ねて入力可能なペンによる手書き編集入力が受け付けられ、受け付けられたペンによる手書き編集入力に基づいてイメージが編集され、編集されたイメージが印刷される。また、イメージ上に配置された隣り合う画像に跨って編集領域を指定することが可能とされ、選択が受け付けられた１つの候補に設けられる複数の配置位置に、選択された１枚の同じ画像がユーザによる操作に応じて配置され、印刷媒体に印刷される画像のイメージが作成される。
【００３１】
このようにすることにより、ユーザは、シールシートの任意の位置に、落書き(編集操作)を入力することが可能となる。
【００３２】
本発明の画像印刷装置においては、前記第１の表示手段と前記第２の表示手段には、同一の画面により構成され、前記第１の表示手段より前記第２の表示手段の方が画面内で大きく表示させ、前記イメージは、前記画面内の、前記イメージの表示位置として予め指定された第１の位置に表示され、前記編集領域の前記画像は、前記画面内の、前記第１の位置とは異なる第２の位置に表示されるようにすることができる。
【００３３】
このようにすることにより、シールシートに印刷される画像のイメージと編集領域の画像とが接近して表示されるため、ユーザは、大きく視線を動かすことなく、シールシートに印刷される画像のイメージと編集領域の画像とを見比べることができる。
【００３４】
本発明の画像印刷装置においては、前記第１の表示手段に、前記第２の受付手段により受け付けられた前記ペンによる手書き編集入力を、前記イメージと重ねて表示させ、前記第２の表示手段に、前記第２の受付手段により受け付けられた前記ペンによる手書き編集入力を、前記編集領域の前記画像と重ねて表示させる表示制御手段をさらに設けるようにすることができる。
【００３５】
表示制御手段は、例えば、表示プロセッサにより構成される。
【００３６】
このようにすることにより、ユーザは、入力した落書きを確認しながら、編集処理(落書き)を行うことができる。
【００３７】
編集手段による編集の対象になる画像として複数枚の画像をユーザが選択することが可能とされている場合、選択手段は、さらに、撮影手段により撮影された複数の画像の中から選択された１枚の同じ画像を、編集の対象になる２枚以上の画像として割り当てるようにすることができる。
【００５２】
【発明の実施の形態】
図３は、本発明を適用した画像印刷装置４１の構成を示している。画像印刷装置４１の筐体５０の前面の左右には、上方から下方へ向かってスピーカ５１−１およびスピーカ５１−２、照明装置５２−１および照明装置５２−２、操作パネル５３−１および操作パネル５３−２、操作パネル５３−１および操作パネル５３−２のそれぞれに表示された画像に対して、編集図形、文字などを入力するタッチペン５４−１およびタッチペン５４−２が設けられる。なお、以下において、スピーカ５１−１およびスピーカ５１−２のそれぞれを個々に区別する必要がない場合、まとめてスピーカ５１と、照明装置５２−１および照明装置５２−２のそれぞれを個々に区別する必要がない場合、まとめて照明装置５２と、操作パネル５３−１および操作パネル５３−２のそれぞれを個々に区別する必要がない場合、まとめて操作パネル５３と、タッチペン５４−１およびタッチペン５４−２のそれぞれを個々に区別する必要がない場合、まとめてタッチペン５４と、それぞれ称する。
【００５３】
筐体５０のほぼ垂直な面１０Ａに配置されたスピーカ５１は、ユーザに対して、硬貨を投入してからの撮影手順の進行を案内するガイダンスや、ユーザが操作パネル５３に表示されている自分自身の撮影画像に対して、後述する編集を行う際のガイダンスなどを出力する。
【００５４】
筐体５０のほぼ垂直な（若干上方を向いている）面１０Ｂに配置された照明装置５２は、撮影の際のフラッシュとして機能するとともに、筐体５０およびユーザを囲むカーテン８１(図４参照)等により外光が遮断されているため、撮影前の状態においてもユーザを照明する。
【００５５】
照明装置５２−１と照明装置５２−２の間には、ユーザを撮影するためのCCD（Charge Coupled Device）カメラ５５が設けられ、CCDカメラ５５が撮影している取り込み画像は、CCDカメラ５５の下方に設けられている撮影画像表示部５６に表示される。CCDカメラ５５と撮影画像表示部５６により撮影装置５７が構成され、ユーザは、足リモートコントローラ（以下、足リモコン６１と称する）を操作して駆動装置５８の駆動可能範囲内で、撮影装置５７を上下方向に移動させることができる。
【００５６】
筐体５０のほぼ水平（若干上方を向いている）な面１０Ｃに配置されている操作パネル５３は、液晶ディスプレイまたはCRT（Cathode-Ray Tude）より構成されるモニタ１１０(図６参照)と、その上部に積層されるタッチパネル１０９(図６参照)から構成される。操作パネル５３の近傍には、それぞれタッチペン５４が設けられ、CCDカメラ５５により撮影された画像が操作パネル５３に表示されるため、ユーザは、タッチペン５４を利用して撮影画像に後述する落書き処理を施すことができる。また、操作パネル５３には、撮影画像の他に、画像プリントの作成および印刷処理の進行段階に応じて種々の選択ボタン、メッセージなどが表示され、操作パネル５３に表示された選択ボタンをタッチペン５４を利用して選択することにより撮影手順が進行される。
【００５７】
操作パネル５３−１の近傍にタッチペン５４−１が、また、操作パネル５３−２の近傍にはタッチペン５４−２が、それぞれ設けられており、操作パネル５３−１および操作パネル５３−２のそれぞれに表示された撮影画像に、２人のユーザが同時に落書き処理などを入力することができる。なお、操作パネル５３−１と操作パネル５３−２に、異なる撮影画像をそれぞれ表示させることができ、ユーザは、別々の撮影画像に対して落書き処理などを入力することもできる。
【００５８】
操作パネル５３の下方の筐体５０のほぼ垂直な面１０Ｄには、硬貨投入口５９が設けられている。ユーザが所定の代金を硬貨投入口５９に投入すると、撮影手順が開始される。
【００５９】
筐体５０の右側面１０Ｅには、シール取出口６０が設けられており、撮影し、画像編集した撮影画像が、所定数に分割されたシールに印刷されて排出される。
【００６０】
筐体５０には、電源ユニットとしてUPS(Uninterruptible Power Supply)６２、および硬貨収納部６３が内蔵されている。UPS６２は、通常、外部から供給される電力を、内蔵バッテリに充電させるとともに、画像印刷装置４１の各部に供給する。停電などで外部からの電力の供給が停止した場合、UPS６２は、電源を内蔵バッテリに切り替えて、画像印刷装置４１の各部に電力を供給することにより、画像印刷装置４１の各部の破損を防いでいる。
【００６１】
硬貨収納部６３は、硬貨投入口５９より投入された硬貨を収納し、着脱可能になっている。画像印刷装置４１の管理者は、図示せぬ扉から、硬貨収納部６３を画像印刷装置４１の外部に取り出し、硬貨を取り出すことができる。
【００６２】
なお、画像印刷装置４１の内部のその他の構成については、図６を参照して後述する。
【００６３】
筐体５０の前方には、筐体５０の幅とほぼ同一の幅の２段の階段６４が設置されている。ユーザは、撮影する場合、階段６４を利用して、様々なポーズを取って、自分自身を撮影することができる。
【００６４】
図４は、画像印刷装置４１の配置例を示す図である。また、図５は、図４の配置を上方から見た場合の図である。なお、以下の説明において、図３乃至図５の間で、同一の部分に対しては、同一の符号が付されている。
【００６５】
図４中右側に、画像印刷装置４１の筐体５０が示されている。筐体５０の面１０Ｄの正面には、所定の間隔をあけて背景パネル８４が設置されている。ユーザは、筐体５０と背景パネル８４の間の空間で、撮影処理および編集処理を行う。図５に示されるように、背景パネル８４の直近に階段６４が、据え付けられている。筐体５０の上端から背景パネル８４の上端へ向かって、カーテンバー８２が渡されており、カーテンバー８２には、カーテン８１が取り付けられている。また、筐体５０の上端と、背景パネル８４の上端を結ぶ面は、ビニール製または、硬質な板よりなる天井８３により覆われている。
【００６６】
このように、撮影および編集を行う空間(以下、ゲーム空間と称する)を、周りの空間から区切ることにより、撮影中のユーザの様子を外部から覗かれることがないため、ユーザは、他人の目を気にすることなく、ゲームに集中することができる。また、カーテン８１、天井８３、および背景パネル８４のゲーム空間側の面は、撮影する際に、照明装置５２により発せられた光を散乱させ、より高品質な撮影画像が得られるように、色、反射率等が設定されている。
【００６７】
また、カーテン８１、天井８３、および背景パネル８４のゲーム空間側の面に、キャラクタの絵などをプリントしたり、ゲーム空間内に、照明装置５２とは別に、例えば青などの色のついた照明装置を設置して、ゲーム空間と周りの空間との雰囲気の格差を大きくすることにより、娯楽性を増すことも可能である。なお、カーテン８１のゲーム空間側の面の色を白にすると、より高画質な撮影画像を得ることが可能となる。
【００６８】
ユーザは、ゲームを行う際、図５に矢印で示されるように、カーテン９１をくぐって、ゲーム空間に入室し、撮影処理および編集処理を行い、その後、カーテン８１をくぐって、ゲーム空間から退出し、シール取出口６０の前で、シールシートを取得する。
【００６９】
図６は、画像印刷装置４１の構成例を示すブロック図である。なお、図３と対応する部分には、同一の符号を付してある。
【００７０】
CPU(Centoral Processing Unit)１０１は、ROM(Read Only Memory)１０２に記憶されているプログラムに従って、全体の動作、処理を制御する。すなわち、各処理部は、バス１００を介してCPU１０１に接続され、制御される。
【００７１】
RAM(Random Access Memory)１０３は、CPU１０１の作業用データを記憶するとともに、各処理部においてユーザが行った選択、指示などを一時的に記憶する。
【００７２】
ドライバ１０４は、図示せぬCD-ROMなどの記録媒体を駆動し、記録情報を読み出す。CD-ROMなどの記録媒体には、撮影処理、落書き処理などを含む種々の処理を行うためのプログラムが記録されており、それらのプログラムは実行時に、RAM１０３に転送されて実行される。また、CD-ROMには、音声のガイダンスデータが記録されており、音声出力装置１１１−１は、CPU１０１の指示に基づいてCD-ROMに記録されているガイダンスデータを読み出してスピーカ５１−１に出力する。
【００７３】
スピーカ５１−１がユーザに対して出力するガイダンスには、操作方法や、撮影直前のカウントダウンなどがある。スピーカ５１−２にも、スピーカ５１−１の出力処理と同様の処理が実行されて、メインの操作パネル５３−１からの入力に応じて音声ガイダンスが出力される。なお、音声出力装置１１１−１と、音声出力装置１１１−２は、それぞれ操作パネル５３−１と操作パネル５３−２からの入力に対応して、異なる音声ガイダンスを出力させるようにすることもできる。
【００７４】
硬貨処理部１０５は、硬貨投入口５９から投入された硬貨の金額を検出し、所定の代金が投入されたと検出した場合、その旨をCPU１０１に通知する。
【００７５】
プリンタ１０６は、画像シールを作成する部分であり、CCDカメラ５５により撮影され、後述の落書き処理などが施された後の画像（プリントすべきとして確定した画像、以下、プリント画像と称する）をシール紙ユニット１２０から供給されるシールシート(以下、シール紙１２２とも称する)などに印刷し、出力する。プリンタ１０６は、ユーザが選択したプリント画像を、指定された分割単位（後述する図１０参照）のシール紙１２２上に印刷する。なお、ユーザは、１枚のシール紙１２２上に、数種類のプリント画像を選択して印刷させることができる。
【００７６】
IDタグリーダ／ライタ１０７は、シール紙ユニット１２０に付されているIDタグ１２１を読み取り、CPU１０１に通知する。CPU１０１は、IDタグリーダ／ライタ１０７より通知されたIDを、予めROM１０２に記憶しているIDと照合することにより、シール紙ユニット１２０に収納されているシール紙１２２が、画像印刷装置４１が使用するシール紙として適当なシール紙であるか否かを判定し、画像印刷装置４１を使用可能、または使用不可能にする。
【００７７】
すなわち、IDタグ１２１に書き込まれたIDと、予めROM１０２に記憶しているIDが一致した場合、CPU１０１は、画像印刷装置４１をゲーム可能にし、反対に、IDタグ１２１に書き込まれたIDと、予めROM１０２に記憶しているIDが一致しなかった場合、CPU１０１は、画像印刷装置４１をゲーム不可能にする。
【００７８】
シール紙ユニット１２０は、画像印刷装置４１から着脱可能になっており、内部にシール紙１２２を装填し、また、IDタグリーダ／ライタ１０７がIDを読み取り可能な所定の位置に、IDタグ１２１が付されている。シール紙ユニット１２０に付されているIDタグ１２１には、装填されているシール紙１２２の種類に対応するIDが書き込まれている。
【００７９】
画像印刷装置の機種により、専用のシール紙がある。そのため、従来、画像印刷装置に適合しないシール紙(他の機種用のシール紙)を、画像印刷装置に装填してしまうというミスがあった。そこで、このように、画像印刷装置４１専用のシールシートを識別する識別手段を備えることにより、画像印刷装置４１に専用のシールシートを識別してプリントすることが可能となる。即ち、シールシートの台紙、または、台紙を収納するカートリッジ等に、バーコード、または、IDタグなどを備え、専用のものか否かを識別可能にする。これにより、良質のシールが限定的に使用でき、良いプリントの仕上がりが維持できる。
【００８０】
表示プロセッサ１０８−１は、CPU１０１からの指示に基づいて撮影手順の案内画面をモニタ１１０−１に表示させる。表示プロセッサ１０８−１は、メモリを内蔵し、撮影した画像が記憶される。また、メモリは、落書き処理や明るさ調整、画像の拡大などの編集処理において記憶領域として使用される。
【００８１】
また、表示プロセッサ１０８−１は、編集処理において、ユーザがタッチペン５４−１を利用して入力する落書きを、編集イメージとして、編集されている撮影画像と対応させて、メモリに記憶する。
【００８２】
画像印刷装置４１は、従来のように、撮影画像毎に、落書きを受け付けることもできる(図１)が、シールシートに印刷される画像全体(以下、シールシートイメージと称する)を落書きの対象としてモニタ１１０−１に表示し、編集を受け付けるようにすることもできる。この場合、シールシートイメージ全体をモニタ１１０−１に表示し、落書きを受け付けるようにすると、１つ１つの撮影画像は、小さくしか表示されなくなってしまう。そこで、画像印刷装置４１においては、モニタ１１０−１には、シールシートイメージ全体が、端の方に小さく表示され(図２４のシールイメージ２４５)、シールシートイメージの内、ユーザにより指定された範囲が、中央に大きく表示され(図２４の編集領域画像２４１を参照)、そこに落書きを受け付けるようになっている。
【００８３】
シールシートイメージ単位での編集処理が行われた場合、表示プロセッサ１０８−１は、シールシートイメージの内、ユーザにより編集領域として指定された範囲の画像を、モニタ１１０−１中央に拡大表示させる。また、表示プロセッサ１０８−１は、拡大表示された範囲に対応する編集イメージデータも、同倍率で、モニタ１１０−１に、画像と重ねて、拡大表示させる。そして、拡大表示された画像に落書きが加えられると、対応する部位の編集イメージデータの記憶が更新される。
【００８４】
なお、ユーザは、消しゴム処理を指定することにより、１度付加した落書きを消去し、元の画像に戻すことができる。その場合、表示プロセッサ１０８−１は、その消しゴムで指定された部分の画像データを編集イメージデータから消去することにより、ユーザが消しゴムで指定した部分を、落書き処理を行う前の撮影画像にもどす。
【００８５】
操作パネル５３−１は、モニタ１１０−１上に、透明なタッチパネル１０９−１が積層されて構成されており、モニタ１１０−１には、上記の表示プロセッサ１０８−１のメモリに記憶された撮影画像と編集イメージが、重ねて表示される。したがって、ユーザが落書きなどを入力している最中は、落書きなどが施された撮影画像が、モニタ１１０−１に表示される。
【００８６】
タッチパネル１０９−１は、タッチペン５４−１からの入力を検出する。すなわち、ユーザは、モニタ１１０−１に表示された選択ボタンをタッチペン５４−１を用いて選択したり、モニタ１１０−１に表示された撮影画像に対して、その上に落書きなどを行う。タッチペン５４−１による入力データは、タッチパネル１０９−１により検出され、入力データとして表示プロセッサ１０８−１に内蔵されるメモリに書き込まれる。
【００８７】
表示プロセッサ１０８−２、タッチパネル１０９−２、およびモニタ１１０−２の構成は、それぞれ、表示プロセッサ１０８−１、タッチパネル１０９−１、およびモニタ１１０−１と同様の構成であるため、その構成の説明は、省略する。以下、表示プロセッサ１０８−１と表示プロセッサ１０８−２を個々に区別する必要がない場合、まとめて表示プロセッサ１０８と、タッチパネル１０９−１とタッチパネル１０９−２を個々に区別する必要がない場合、まとめてタッチパネル１０９と、モニタ１１０−１とモニタ１１０−２のそれぞれを個々に区別する必要がない場合、まとめてモニタ１１０と、それぞれ称する。
【００８８】
次に、図７および図８のフローチャートを参照して、画像印刷装置４１の印刷処理について説明する。また、各ステップの処理を説明する際、必要に応じて、図９乃至図１８を参照する。なお、図９において、例えば、左側に示す図９Ａを操作パネル５３−１の表示例とし、右側に示す図９Ｂを操作パネル５３−２の表示例とする。図１１乃至図１５、および図１７においても、図９の構成と同様にして、操作パネル５３の表示例が示される。また、図に示されている各種ボタンを説明する場合、同一機能を有するボタンには、同一符号を付してあり、説明が重複するものについては、その説明を適宜省略する。
【００８９】
ステップＳ１において、表示プロセッサ１０８は、CPU１０１からの指示に基づいて操作パネル５３にデモ画面を表示する。操作パネル５３−１のモニタ１１０−１には、例えば、図９Ａに示されるデモ画面が表示され、操作パネル５３−２のモニタ１１０−２には、例えば、図９Ｂに示されるようなデモ画面が表示される。デモ画面のデータは、図示せぬCD-ROMからドライバ１０４により読み込まれ、バス１００を介して表示プロセッサ１０８に転送される。
【００９０】
ステップＳ２において、CPU１０１は、硬貨処理部１０５からの通知に基づいて、代金が投入されたか否かを判定する。CPU１０１は、代金が硬貨投入口５９に投入されたと判定するまで表示プロセッサ１０８に対して、デモ画面（図９）を表示することを指示し、代金が投入されたと判定した場合、処理はステップＳ３に進む。
【００９１】
ステップＳ３において、表示プロセッサ１０８は、CPU１０１からの指示に基づいて、操作パネル５３にシールレイアウト選択画面を表示する。操作パネル５３には、例えば、図１０に示すように、シールレイアウト１３１−１乃至１３１−６(以下、区別する必要がない場合、シールレイアウト１３１と称する)が表示される。シールレイアウト１３１−１乃至１３１−６は、構成する各マスの大きさの違いや配置の違いにより、レイアウトの種類が異なる。編集処理後、ユーザに提供されるシールシートには、ステップＳ３で選択されたシールレイアウトに従って、マス目毎に、１つの撮影画像が印刷されている。ユーザは、表示された複数のシールレイアウトの中より、好みのシールレイアウトをタッチペン５４で選択することができる。
【００９２】
ステップＳ４において、表示プロセッサ１０８は、CPU１０１からの指示に基づいて、操作パネル５３に撮影手順の説明画面を表示する。操作パネル５３−１には、例えば、図１１Ａおよび図１１Ｂに示されるような説明画面が表示され、操作パネル５３−２には、例えば、図１１Ｃに示されるような説明画面が表示される。図１１Ｃに示される操作パネル５３−２は、CCDカメラ５５がリアルタイムで撮影している、ビデオ信号としての取り込み画像が表示され、図１１Ａおよび図１１Ｂに示される操作パネル５３−１には、操作パネル５３−２に表示されているCCDカメラ５５の取り込み画像の設定方法を説明する画面が表示されている。
【００９３】
図１１Ａの表示例においては、取り込み画像を横長に表示するか、または縦長に表示するかの表示切換ボタン１４１、CCDカメラ５５のズーム機能を調整するズーム調整ボタン１４２、およびCCDカメラ５５が取り込む光量を調整する明るさ調整ボタン１４３が表示されている。また、足リモコン６１を操作して、CCDカメラ５５を含む撮影装置５７を上下方向に移動できることが表示されている。ユーザは、この説明画面に応じて、タッチペン５４−１を利用して操作パネル５３−１に表示されている上記ボタンを操作し、取り込み画像を設定する。図１１Ｂにおいては、アップ撮影を説明するデモ画面と、その明るさを調整する明るさ調整ボタン１４３が表示されている。
【００９４】
CCDカメラ５５により撮影されている、ビデオ信号としての（取り込まれている）取り込み画像は、バス１００を介して表示プロセッサ１０８に転送されるとともに、撮影画像表示部５６に転送されて、表示される。すなわち、ここに動画像が表示される。また、図１１Ａおよび図１１Ｂに表示される説明画面にあわせて、音声出力装置１１１は、スピーカ５１から音声ガイダンスを出力する。
【００９５】
ステップＳ５において、表示プロセッサ１０８は、CPU１０１からの指示に基づいて操作パネル５３に取り込み画像を表示する。操作パネル５３−１には、例えば、図１２Ａに示すように、CCDカメラ５５が撮影している取り込み画面が表示される。既に撮影した撮影画像のうち、ユーザが後述するキープボタンを操作してキープ画像を選択している場合、操作パネル５３−２には、図１２Ｂに示すように、キープ画像が表示される。なお、ユーザは、１枚のシールシートに最大４種類の撮影画像をプリントできるので、最大４種類の画像をキープすることができる。
【００９６】
ユーザは、操作パネル５３−２に表示されている撮影画像からタッチペン５４−２で指定することにより、既に撮影した画像を削除することができる。また、操作パネル５３−１および、操作パネル５３−２のそれぞれには、撮影開始ボタン１５１が表示されるとともに、撮影までの残り時間を示す残り時間メータ１５２が表示されている。
【００９７】
ステップＳ６において、CPU１０１は、タッチパネル１０９からの通知に基づいて、撮影開始ボタン６１が操作されたか否かを判定する。CPU１０１は、撮影開始ボタン１５１が操作されたと判定するまで取り込み画像を表示させて待機し、いずれかのタッチパネル１０９の入力から撮影開始ボタン１５１が操作されたと判定した場合、処理はステップＳ７に進む。
【００９８】
ステップＳ７において、表示プロセッサ１０８は、撮影前のカウントダウン画面を表示する。操作パネル５３−１には、例えば、図１３Ａのようなカウントダウン画面が表示される。表示プロセッサ１０８−１は、CPU１０１からの指示に基づいて、画面左側に表示されているカウントダウンインジゲータ１６１の１番上の表示から点灯を開始する。CCDカメラ５５は、カウントダウンインジゲータ１６１の１番下の表示が点灯されたとき、撮影を実行し、デジタルデータとしての静止画像データを作成する。操作パネル５３−２にも、カウントダウンインジゲータ１６１が表示されており、表示プロセッサ１０８−２は、表示プロセッサ１０８−１の処理と同様に点灯させる。また、カウントダウンインジゲータ１６１の点灯に合わせて、音声出力装置１１１は、スピーカ５１から音声ガイダンスによるカウントダウンを出力する。また、CCDカメラ５５が、撮影を実行するのと同時に、照明装置５２は、フラッシュをたく。
【００９９】
また、CCDカメラ５５の取り込み画像は、CCDカメラ５５の下方に設けられている撮影画像表示部５６にも表示される。これにより、ユーザは、操作パネル５３に視線を向けることなく、CCDカメラ５５に視線を合わせて撮影することができる。
【０１００】
ステップＳ８において、表示プロセッサ１０８は、CPU１０１からの指示に基づいて、操作パネル５３に印刷写真選択画面を表示する。操作パネル５３−１には、図１４Ａに示すように、それまでに撮影した撮影画像のうち、プリントする（キープする）画像の選択を促す画面が表示され、ユーザは、タッチペン５４−１でカーソルを移動して、キープ画像（印刷する画像）を選択する。また、操作パネル５３−２には、図１４Ｂに示すように、操作パネル５３−１に表示されている撮影画像から、選択された画像が拡大して表示される。ユーザは、操作パネル５３−２に表示されているプリントボタン１７２を操作し、撮影画像をプリント（キープ）するか、削除ボタン１７３を操作して撮影画像を削除するかを選択することができる。CPU１０１は、タッチパネル１０９−２からの通知に基づいて、ユーザがプリントボタン１７２を操作したと判定した場合、処理はステップＳ９に進む。
【０１０１】
ステップＳ９において、表示プロセッサ１０８は、CPU１０１からの指示に基づいて、操作パネル５３に明るさ調整画面を表示する。操作パネル５３−１には、図１５Ａに示すように、ステップＳ７の処理で印刷することが選択された撮影画像が表示され、その画像の明るさを調整するとき操作される明るさ調整ボタン１４３、シールに加工しないとき操作される写真風ボタン１８１、シールシートにプリントするとき操作されるシール風ボタン１８２、横方向に表示されているキープ画像を縦方向に表示を変更するとき操作される表示切換ボタン１４１、表示されている画像を削除して再び撮影するとき操作されるとりなおしボタン１８３、編集対象の画像として残しておくとき操作されるキープボタン１８４が表示されている。
【０１０２】
操作パネル５３−２には、図１５Ｂに示すように、ユーザがキープボタン１８４を操作することにより、編集対象の画像として選択したキープ画像が表示される。図１５Ｂの表示例においては、キープ画像として、既に３枚選択されているので、残り撮影可能枚数ウインドウ１９１に「残り１枚」と表示されている。また、操作パネル５３−２には、削除ボタン１７３が表示されており、ユーザは、これを操作して、選択したキープ画像を削除することができる。さらに、操作パネル５３−２には、撮影終了ボタン１９２が表示されており、ユーザは、キープ画像を４枚選択する前でも、次に進むことができる。操作パネル５３−１および操作パネル５３−２には、残り時間メータ６２に明るさ調整の制限時間が表示されている。
【０１０３】
ステップＳ１０において、CPU１０１は、明るさ調整画面（図１５Ａ）でとりなおしボタン１８３が操作されたか否かを判定する。CPU１０１は、タッチパネル１０９−１からの通知に基づいてとりなおしボタン１０３が操作されたと判定した場合、ステップＳ５に戻り、それ以降の処理が繰り返し実行される。
【０１０４】
ステップＳ１０において、CPU１０１は、明るさ調整画面（図１５Ａ）でとりなおしボタン１８３が操作されていないと判定した場合、ステップＳ１１の処理に進む。
【０１０５】
ステップＳ１１において、CPU１０１は、明るさ調整画面（図１５Ａ）でキープボタン１８４が操作されたか否かを判定する。CPU１０１は、キープボタン１８４が操作されたと判定した場合、ステップＳ１２において、キープすることが選択された撮影画像をキープ画像に追加する。
【０１０６】
ステップＳ１３において、CPU１０１は、表示プロセッサ１０８に問い合わせ、残り撮影可能枚数が０か否か（４種類のキープ画像が選択されたか否か）を判定する。CPU１０１は、残り撮影可能枚数が０でない（まだ撮影可能である）と判定した場合、処理はステップＳ５に戻り、それ以降の処理が繰り返し実行される。
【０１０７】
CPU１０１は、ステップＳ１３において、残り撮影可能枚数が０であると判定した場合、並びに、ステップＳ１１でキープボタン１０４が操作されていないと判定された場合、ステップＳ１４の処理に進む。
【０１０８】
ステップＳ１４において、CPU１０１は、タッチパネル１０９−２からの通知に基づいて、操作パネル５３−２に表示されている撮影終了ボタン１４３（図１５Ｂ）が操作されたか否かを判定する。CPU１０１は、撮影終了ボタン１１１が操作されていないと判定した場合、ステップＳ９の処理に戻り、明るさ調整画面の表示を続ける。
【０１０９】
ステップＳ１４において、CPU１０１は、撮影終了ボタン１１１が操作されたと判定した場合、ステップＳ１５の処理に進む。また、CPU１０１は、ステップＳ１３の処理で、残り撮影可能枚数が０と判定すると、ユーザに対して撮影終了ボタンしか操作できなくするので、この場合も処理はステップＳ１５に進む。
【０１１０】
ステップＳ１５において、表示プロセッサ１０８は、CPU１０１からの指示に基づいて、操作パネル５３−１に落書き画面を表示する。落書き画面は、例えば、図１６に示すように表示される。図１６の例では、同一の撮影画像に対して、複数の異なる落書き処理が施されている。すなわち、モニタ１１０−１に大きく表示されている画像２０１−１、並びに、画面の下方に表示されている画像２０１−２乃至２０１−４は、すべて同一の撮影画像であり、ユーザは、これら４つの画像に対して、それぞれ異なる落書きを施すことができる。
【０１１１】
ただし、図１６の画面中では、画像２０１−１にのみ落書きを施すことができる。例えば、画像２０１−２に落書きするためには、タッチペン５４−１で画像２０１−２に触れる必要があり、タッチペン５４−１で触れると、画像２０１−２が、画像２０１−１と入れ替わって、拡大して表示され、落書きの受け付けが可能になる。このとき、画像２０１−１は、画像２０１−２が表示されていた位置に、画像サイズを縮小して表示される。
【０１１２】
このようにして、同一の撮影画像に対して、異なる落書きを施すことができる。なお、操作パネル５３−２にも、操作パネル５３−１と同様の落書き画面が表示され、タッチペン５４−２をタッチペン５４−１と同様の手順で操作することにより、落書きが可能である。ただし、例えば、操作パネル５３−１において画像に加えられた落書きは、操作パネル５３−２に表示されている画像にも反映される。逆に、操作パネル５３−２において画像に加えられた落書きは、操作パネル５３−１に表示されている画像に反映される。このように、操作パネル５３−１、または操作パネル５３−２に入力された編集操作を、他方の操作パネルにも反映させることができる。それを実現するため、画像２０１−１乃至２０１−４に、それぞれ識別番号が振られ、識別されている。こうすることにより、画像２０１−１乃至２０１−４が、同一の撮影画像である場合も、４つの画像のそれぞれを区別して、他方の操作パネルに落書きを反映させることが可能となる。
【０１１３】
操作パネル５３の左よりと右よりには、落書き処理のツール、すなわちペン１３、文字１４、スタンプ１５、および消しゴム１６が表示されている。これらのツールは、図１で説明した対応するツールと同一の機能を有している。
【０１１４】
なお、落書き処理の詳細な説明は後述する。
【０１１５】
落書き処理には制限時間があり、ステップＳ１５の落書き処理において、CPU１０１は、プリントボタン２０２が操作されたか、または、制限時間が経過したと判定した場合、処理はステップＳ１６に進む。
【０１１６】
ステップＳ１６において、表示プロセッサ１０８は、CPU１０１からの指示に基づいて、プリントしたシールが横から排出されることを案内する案内画面を、操作パネル５３−１および操作パネル５３−２に、例えば、図１７Ａおよび図１７Ｂに示すように表示させる。また、表示プロセッサ１０８の内蔵メモリに記憶された撮影画像データ(またはシールイメージ)と、撮影画像上に書き加えられた落書きの画像データ（編集イメージ）は、表示プロセッサ１０８により重ね合わせるように合成され、プリンタ１０６に供給され、プリンタ１０６は、供給された画像をシールシートに印刷する。
【０１１７】
ステップＳ１７において、プリンタ１０６により画像が印刷されたシールシートは、シール取出口６０より排出され、ユーザに提供される。図１８のシールシート２１１は、ステップＳ１５において、撮影画像に、図１６に示される編集処理を施した場合に、ユーザに提供されるシールシートの例を示している。
【０１１８】
図１６に示された画像２０１−２は、図１８に示されるように、編集画像２１２−２として、シールシート２１１に印刷されている。また、図１６の画像２０１−３と画像２０１−４は、それぞれ、編集画像２１２−３、および編集画像２１２−４としてシールシート２１１に印刷されている。図１６の画像２０１−１は、落書きが加えられた後、図１８の編集画像２１２−１としてシールシート２１１に印刷されている。シールシートがユーザに提供された後、処理はステップＳ１に戻る。
【０１１９】
画像印刷装置４１においては、操作パネル５３が２つ設けられているため、２人のユーザが分担して画像編集を入力することができる。そのため、例えば、図４のステップＳ１４の処理で表示される落書き画面において、複数のユーザが、１つの画像に対して、同時に落書きを入力することができる。そのため、操作パネルが１つの場合と比べ、同一の制限時間で、より多くの画像に落書きすることができる。
【０１２０】
また、シールシート全体を表示する表示手段を別のモニタにしても良い。タブレット機能を備えることで、より大きな画面で、撮影画像(編集中の画像)を確認することが可能となる。
【０１２１】
また、片方の操作パネル(例えば、操作パネル５３−１)に、複数の画像(例えば４つの画像)を表示し、操作パネル５３−１に表示された複数の画像の中から、タッチペン５４−１により選択された画像を、操作パネル５３−２に拡大表示し、操作パネル５３−２において、編集操作の入力を受け付けるようにしてもよい。
【０１２２】
次に、図１９のフローチャートを参照して、図８のステップＳ１５の処理、すなわち、画像の編集処理の詳細について説明する。なお、以下の説明においては、表示プロセッサ１０８−１を表示プロセッサＡと、表示プロセッサ１０８−２を表示プロセッサＢと、タッチパネル１０９−１をタッチパネルＡと、タッチパネル１０９−２をタッチパネルＢと、モニタ１１０−１をモニタＡと、モニタ１１０−２をモニタＢとも、それぞれ称する。
【０１２３】
ステップＳ３１において、操作パネル５３−１は、ドライバ１０４により記録媒体から読み出され、バス１００を介して供給された編集手順の案内(例えば、「落書きしちゃおう！  写真ごとに落書きする？  それともシール全体に落書きする？  どちらか１つを選んでね」のような案内)を表示する。また、音声出力制御装置１１０−１は、ドライバ１０４により記録媒体から読み出され、バス１００を介して供給された編集手順の案内用の音声を、スピーカ５１−１より出力させる。
【０１２４】
ステップＳ３２において、CPU１０１は、ユーザから入力された選択が、撮影画像単位の編集であるか否かを判定する。CPU１０１は、タッチパネル１０９−１からの通知に基づいて、撮影画像単位の編集は選択されなかったと判定した場合、ステップＳ３３に進み、シールシート単位での編集の一連の処理を実行する。ステップＳ３３の処理の後、処理は、図８のステップＳ１６に進む。ステップＳ３３の処理の詳細な説明は、図２１と図２２のフローチャートを参照して後述する。
【０１２５】
ステップＳ３２において、CPU１０１が、撮影画像単位の編集が選択されたと判定した場合、ステップＳ３４の処理に進む。
【０１２６】
先に説明したように、画像印刷装置４１においては、ユーザは、最大４種類の画像をキープすることができる。また、落書き処理も、最大４つの画像に対して行うことができる。そこで、ステップＳ３４において、操作パネル５３−１は、図２０に示すように、全てのキープ画像を表示し、落書きする画像の選択を受け付ける。
【０１２７】
図２０は、ステップＳ３４における操作パネル５３−１の表示例である。図２０において、画面の上方に、キープ画像２２１−１乃至キープ画像２２１−４が表示されており、ユーザは、タッチペン５４−１により、落書きしたいキープ画像を画面の下方の枠２２２内にドラッグアンドドロップすることにより、落書きする画像(以下、落書き画像と称する)を選択することができる。図２０においては、キープ画像２２１−１が、落書き画像２２３−１として選択され、キープ画像２２１−２が、落書き画像２２３−２および落書き画像２２３−３として選択され、キープ画像２２１−４が、落書き画像２２３−４として選択されている。
【０１２８】
図２０の例のように、同一の画像を２つ以上、落書き画像として選択することも可能である。全ての落書き画像として、同一のキープ画像を選択することも、勿論、可能である。ステップＳ３４において、落書き画像として選択されなかったキープ画像(図２０においてはキープ画像２２１−３)の画像データは、消去される。
【０１２９】
一旦、落書き画像として選択した画像を消去して、改めて、画像を選択したい場合、タッチペン５４−１で消去ボタン２２４に触れた後、消去したい落書き画像に触れることにより、その落書き画像を消去することができる。
【０１３０】
ステップＳ３５において、CPU１０１は、落書き画像の選択が終了するまで、操作パネル５３−１に、図２０の画面を表示させる。落書き画像の選択が終了した場合、タッチペン５４−１で決定ボタン２２５に触れることにより、落書きする画像が決定され、タッチパネル１０９−１からの通知に基づいて、CPU１０１は、落書き画像が選択されたと判定し、ステップＳ３６の処理に進む。
【０１３１】
ステップＳ３６において、CPU１０１からの指令により、操作パネル５３−１および操作パネル５３−２は、図１６に示されるような画面を表示し、タッチペン５４−１およびタッチペン５４−２を介した、ユーザからの落書きの入力を受け付ける。なお、図１６においては、画像２０１−１乃至２０１−４は、全て同一のキープ画像により構成された例について示されており、これは、ステップＳ３４において、落書き画像として、全て同一のキープ画像が選択された場合の例である。画像２０１−１乃至２０１−４は、全て同一のキープ画像により構成されるとは限らない。
【０１３２】
すなわち、ステップＳ３６においては、図１６の画像２０１−１乃至２０１−４として、図２０の落書き画像２２３−１乃至２２３−４が表示される。すなわち、図１６の画像２０１−１として図２０の落書き画像２２３−１が表示される。また、図１６の画像２０１−２、画像２０１−３、および画像２０１−４として、図２０の落書き画像２２３−２、落書き画像２２３−３、および落書き画像２２３−４が、それぞれ表示される。
【０１３３】
このようにして、ステップＳ３６において、ステップＳ３４で選択された４つの落書き画像が操作パネル５３に表示され、落書きの入力が受け付けられる。
【０１３４】
ステップＳ３７において、CPU１０１は、タッチパネルＡから落書きが入力されたか否かを判定する。ユーザがタッチペン５４−１を利用して落書きを入力した場合、CPU１０１は、落書きが入力されたと判定し、ステップＳ３８の処理に進む。
【０１３５】
ステップＳ３８において、表示プロセッサＡは、CPU１０１からの指示に基づいて、タッチパネルＡから入力された落書きを、メモリに記憶された編集イメージに書き加える。そして、表示プロセッサＡは、CPU１０１からの指示に基づいて、メモリに記憶されている、撮影画像と編集イメージを重ねてモニタＡに表示させる。
【０１３６】
ステップＳ３９において、CPU１０１は、タッチパネルＡから入力され、ステップＳ３８の処理でモニタＡに表示させた落書きを、モニタＢにも反映させる（表示させる）必要があるか否かを判定する。すなわち、CPU１０１は、編集対象の落書き画像としてモニタＡとモニタＢで同じ画像が選択されている場合、モニタＢにもタッチパネルＡからの入力を反映して表示させる必要があると判定し、ステップＳ４０の処理に進む。
【０１３７】
ステップＳ４０において、表示プロセッサＢは、CPU１０１からの指示に基づいて、ステップＳ３８の処理で表示プロセッサＡのメモリに書き加えた編集イメージを、自らのメモリに記憶されている編集イメージに書き加え、記憶させた画像情報をモニタＢに表示させる。その後、処理はステップＳ４１に進む。
【０１３８】
ステップＳ３９において、CPU１０１が、タッチパネルＡから入力された落書きを、モニタＢにも反映させる（表示させる）必要がないと判定した場合、ステップＳ４１の処理に進む。また、ステップＳ３７において、CPU１０１が、タッチパネルＡから落書きが入力されていないと判定した場合、ステップＳ４１の処理に進む。
【０１３９】
ステップＳ４１乃至ステップＳ４４の処理は、ステップＳ３７乃至ステップＳ４０の処理と同様の処理である。すなわち、タッチパネルＡとタッチパネルＢで、落書き対象の画像として、同じキープ画像が選択されており、同じ落書き処理が同時に入力された場合、CPU１０１は、タッチパネルＢから入力され、モニタＢに表示されている落書きを、モニタＡに反映させて表示させる必要があると判定した場合、ステップＳ４０の処理と同様に、反映処理を行う。
【０１４０】
ステップＳ４１において、タッチパネルＢから落書きが入力されていないと判定された場合、ステップＳ４３において、タッチパネルＢから入力された落書きを、モニタＡに反映させる必要がないと判定された場合、または、ステップＳ４４の処理が完了した場合、ステップＳ４５の処理に進む。
【０１４１】
ステップＳ４５において、CPU１０１は、落書き処理の制限時間が経過したか否か、または、プリントボタン２０２が操作され、編集処理の終了が指示されたか否かを判定する。CPU１０１は、編集処理の制限時間が経過しておらず、かつ、編集処理が終了されていないと判定した場合、ステップＳ４６の処理に進む。
【０１４２】
ステップＳ４６において、CPU１０１は、他の落書き画像への落書きが指示されているか否かを判定する。例えば、モニタＡに、図１６のような表示がされており、ユーザが、画像２０１−３に落書きをしたい場合、ユーザは、タッチペンＡにより画像２０１−３に触れる。すると、CPU１０１は、他の落書き画像(画像２０１−３)への落書きが指示されたと判定し、ステップＳ３６に戻り、CPU１０１は、モニタＡに表示されている画像２０１−３と画像２０１−１を入れ替えて表示させる(画像２０１−３がモニタＡの中央に拡大して表示され、画像２０１−１は、もともと画像２０１−３が表示されていた位置に、縮小されて表示される)。その後、上述したステップＳ３７以降の処理が繰り返される。
【０１４３】
ステップＳ４６において、CPU１０１が、他の落書き画像への落書きは指示されていないと判定した場合、ステップＳ３７に戻り、上述したステップＳ３７以降の処理が繰り返される。
【０１４４】
ステップＳ４５において、CPU１０１が、編集処理の制限時間が経過したと判定した場合、または、プリントボタン２０２が操作され、編集処理の終了が指示されたと判定した場合、図８のステップＳ１６に進む。
【０１４５】
次に、図２１および図２２のフローチャートを参照して、図１９のステップＳ３３の処理、すなわちシールシート単位での編集処理について、詳細に説明する。なお、以下の説明においても、表示プロセッサ１０８−１を表示プロセッサＡと、表示プロセッサ１０８−２を表示プロセッサＢと、タッチパネル１０９−１をタッチパネルＡと、タッチパネル１０９−２をタッチパネルＢと、モニタ１１０−１をモニタＡと、モニタ１１０−２をモニタＢとも、それぞれ称する。
【０１４６】
ステップＳ６１において、操作パネル５３−１は、図２３に示すように、全てのキープ画像を表示し、落書きする画像の選択を受け付ける。
【０１４７】
図２３は、ステップＳ６１における操作パネル５３−１の表示例である。図２３において、画面の左側に、キープ画像２２１−１乃至キープ画像２２１−４が表示されている。また、画面の右側には、図７のステップＳ３で選択されたシールレイアウトが表示されている。ステップＳ３において、図１０のシールレイアウト１３１−２(４分割のシールレイアウト)が選択された場合、ステップＳ６１において、図２３のように、同一のシールレイアウト２３１(４分割のシールレイアウト)が表示される。
【０１４８】
ユーザは、タッチペン５４−１により、キープ画像を画面の右側のシールレイアウト２３１内の希望する位置にドラッグアンドドロップすることにより、所望する位置にキープ画像を配置することができる。図２０においては、キープ画像２２１−１が、シールレイアウト２３１の右上の領域に、キープ画像２２１−２が、シールレイアウト２３１の左上の領域に、キープ画像２２１−３が、シールレイアウト２３１の左下の領域に、キープ画像２２１−４が、シールレイアウト２３１の右下の領域に、それぞれ、配置されている。
【０１４９】
図２３には示されていないが、同一のキープ画像を、シールレイアウト２３１の２つ以上の領域に配置することも可能である。全ての領域に、同一のキープ画像を配置することも、勿論、可能である。
【０１５０】
なお、ステップＳ３において、例えば、図１０のシールレイアウト１３１−６のような、多数の領域に細かく分割されたシールレイアウトを選択した場合、ステップＳ６１において、全ての領域にキープ画像を配置するには、時間がかかるという問題がある。そこで、多数の領域に細かく分割されたシールレイアウトが選択された場合、例えば、分割された領域の行毎に、配置するキープ画像を選択するようにしても良い。また、行に限らず、あらかじめ設定されたいくつかの領域を１グループとして、配置するキープ画像を選択するようにしてもよい。その場合、１グループを構成する全ての領域には、同一のキープ画像が配置される。ステップＳ６１において、シールレイアウト２３１のどの領域にも配置されなかったキープ画像の画像データは、消去される。
【０１５１】
一旦、シールレイアウト２３１に配置したキープ画像を消去して、改めて、他のキープ画像を配置したい場合、タッチペン５４−１で消去ボタン２２４に触れた後、消去したいキープ画像に触れることにより、そのキープ画像を消去することができる。
【０１５２】
ステップＳ６２において、CPU１０１は、キープ画像の配置が完了するまで、操作パネル５３−１に、図２３の画面を表示させる。キープ画像の配置が完了した場合、タッチペン５４−１で決定ボタン２２５に触れることにより、シールレイアウトへのキープ画像の配置が決定され、タッチパネル１０９−１からの通知に基づいて、CPU１０１は、キープ画像の配置が完了したと判定し、ステップＳ６３の処理に進む。
【０１５３】
このように、シールシート上での画像の配置を自由に選択することができるようにすることにより、ユーザは、より希望通りの画像が印刷されたシールシートを作成することができる。
【０１５４】
なお、上述においては、キープ画像の配置を、ユーザの希望で決められるようにしているが、撮影された順番に従って、予め設定された所定の位置に、キープ画像を配置するようにすることも可能である。その場合、ステップＳ６１及びステップＳ６２の処理は必要ないので、１ゲームにかける時間を短縮することができる。
【０１５５】
ステップＳ６３において、表示プロセッサ１０８−１は、キープ画像を、ステップＳ６２で決定された配置に並べたシールイメージの画像データ(以下、シールイメージデータと称する)を作成し、内蔵するメモリに記憶させる。また、表示プロセッサ１０８−２は、表示プロセッサ１０８−１より、シールイメージデータを取得し、内蔵するメモリに記憶させる。
【０１５６】
そして、表示プロセッサ１０８−１および表示プロセッサ１０８−２は、記憶したシールイメージデータを読み出し、シールイメージを、モニタ１１０−１およびモニタ１１０−２に、それぞれ表示させる。これ以降、操作パネル５３−１、および操作パネル５３−２の双方において、それぞれ、以下に説明する同様の処理が実行される。
【０１５７】
図２４は、モニタ１１０の表示の例を示している。図２４において、操作パネル５３(モニタ１１０)の右下に、シールイメージ２４５が表示されている。なお、ステップＳ６３の時点では、図２４において、シールイメージ２４５、ペン１３、文字１４、スタンプ１５、および消しゴム１６のみが、操作パネル５３に表示されている。
【０１５８】
ステップＳ６４において、CPU１０１は、編集処理(落書き)の経過時間の計測を開始する。同時に、残り時間をユーザに提示する残り時間表示２４３が、操作パネル５３に表示され、時間経過に従って、カウントダウンされてゆく。この時点では、まだ、図２４に示される編集領域画像２４１、スクロールボタン２４２−１乃至２４２−４、並びに、オプションバー２４４は、操作パネル５３に表示されていない。
【０１５９】
本発明の画像印刷装置４１においては、シールシート単位で編集処理を行う場合、ユーザは、図２４において、シールイメージ２４５上で、編集領域指定枠２４６により、落書きを入力する範囲(編集領域)を指定する。編集領域指定枠２４６で囲まれた部分の画像は、切り出され、編集領域画像２４１として画面の中央に表示され、落書きの入力を受け付ける。
【０１６０】
そこで、まず、ステップＳ６５において、操作パネル５３は、タッチペン５４を介した編集領域の指定を受け付ける。ユーザは、シールイメージ２４５上の、任意の２点をタッチペン５４により触れることにより、編集領域を指定することができる。編集領域が指定されると、シールイメージ２４５上に、編集領域指定枠２４６が表示され、ステップＳ６６において画像の拡大倍率が算出され、ステップＳ６７において、編集領域指定枠２４６で囲まれた部分の画像データが切り出されて、ステップＳ６８において、編集領域画像２４１として、操作パネル５３の中央に拡大表示される。
【０１６１】
編集領域の指定方法について、図２５を参照して説明する。なお、図２５においては、スクロールボタン２４２−１乃至２４２−４、並びに、オプションバー２４４の記載は、省略されている。
【０１６２】
図２５において、ステップＳ６５で、ユーザが、タッチペン５４により、まず、シールイメージ２５１の点Ａ(シールイメージ上の座標を(Ｘａ，Ｙａ)とする)に触れ、次に、点Ｂ(シールイメージ上の座標を(Ｘｂ，Ｙｂ) とする)に触れた場合、点Ａと点Ｂを対角線上の頂点として、編集領域指定枠２５２が決定される。図２５に示すように、編集領域指定枠２５２の横方向に伸びる辺の長さをｘ、縦方向に伸びる辺の長さをｙとする。
【０１６３】
図２５に示す通り、編集領域画像２５３の表示範囲は、横方向の辺の長さがｍ、縦方向の辺の長さがｎに設定されている。従って、編集領域指定枠２５２として指定された４角形が、編集領域画像２５３の４角形と相似形であれば、編集領域指定枠２５２で囲まれた画像を単純に拡大して、編集領域画像２５３として表示することができるが、両者が相似形でない場合、単純に拡大することができない。
【０１６４】
そこで、ステップＳ６６において、操作パネル５３は、編集領域指定枠２５２で囲まれた画像の横方向の拡大倍率ｍ／ｘ、および縦方向の拡大倍率ｎ／ｙを算出する。
【０１６５】
次に、ステップＳ６７において、編集領域指定枠２５２に囲まれた部分の画像に対応する画像データが、切り出される。
【０１６６】
ステップＳ６８において、操作パネル５３は、ステップＳ６７で切り出された画像を拡大し、編集領域画像２５３として表示する。
【０１６７】
このように、シールイメージ２５１上に指定された２点を対角線上の頂点として編集領域指定枠２５２を作成し、編集領域指定枠２５２で囲まれた部分の画像を、横方向および縦方向に、それぞれ引き伸ばして、編集領域画像２５３として、表示させるようにした場合、ユーザは、シールイメージ２５１上に２点を指定する際、編集領域として指定される範囲(編集領域指定枠２５２)を想像しやすい。そのため、編集領域の指定を、直感的に行うことができる。
【０１６８】
しかしながら、図２５を参照して説明した上述の方法の欠点として、編集領域画像２５３の縦方向と横方向の拡大倍率が異なるため、図２５にも示されるように、編集領域画像２５３には、シールイメージ２５１上の編集領域指定枠２５２で囲まれた部分の画像が歪んで表示される(図２５においては、横方向に引き伸ばされている)。そのため、編集領域画像２５３に対して落書きが入力された後、シールイメージがシールシートに印刷される際に、必ずしもユーザの想像通りの落書きが印刷されるとは限らない。
【０１６９】
そこで、もう１つの編集領域の指定方法について、図２６を参照して、説明する。なお、図２６においては、スクロールボタン２４２−１乃至２４２−４、並びに、オプションバー２４４の記載は、省略されている。
【０１７０】
図２６においても、図２５に示された方法と同様にして、ユーザは、タッチペン５４を介して、シールイメージ２６１上の２点(点Ａ(Ｘａ，Ｙａ)、および点Ｂ(Ｘｂ，Ｙｂ))を指定する。図２６においては、編集領域指定枠２６２の横方向の辺の長さｘを
｜Ｘａ―Ｘｂ｜＝ｘ
として算出し、
編集領域指定枠２６２の縦方向の辺の長さｙを、
ｙ＝ｘ・ｎ／ｍ
として算出する。
【０１７１】
なお、編集領域画像２６３の横方向の辺の長さｍと、縦方向の辺の長さｎは、予め、所定の値に設定されおり、従って、ｎ／ｍは定数である。
【０１７２】
このようにして、編集領域指定枠２６２の横方向の辺の長さｘと、縦方向の辺の長さｙが決定される。次に、図２６に示されるように、点Ａを１頂点として、横と縦の辺が、それぞれｘとｙの編集領域指定枠２６２が、表示される。ただし、編集領域指定枠２６２の縦方向の辺を、点Ａの上下のどちらに表示させるかが、未定である。そこで、表示方向の決定方法として、Ｙａを基準として、Ｙｂ＞Ｙａなら、縦方向の辺を点Ａの上方に表示させ、Ｙｂ＜Ｙａなら、縦方向の辺を点Ａの下方に表示させるようにすることができる。
【０１７３】
この方法の場合、編集領域画像２６３に表示される画像は、編集領域指定枠２６２で囲まれた部分の画像を、縦方向と横方向に、同じ倍率で拡大するので、変種領域画像２６３には、歪みは生じない。従って、編集領域画像２６３に対して落書きが入力された後、シールイメージがシールシートに印刷される際に、ユーザの想像通りの落書きが印刷されることになる。
【０１７４】
ただし、図２６を参照して上述した方法の場合、編集領域指定枠２６２が、シールイメージ２６１の外にはみ出してしまうこともありうる。この場合、はみ出した部分は、編集領域画像２６３として表示されず、従って、はみ出した部分には、落書きは受け付けられない。
【０１７５】
図２５および図２６を参照して上述した、２つの方法のどちらにおいても、シールイメージ上の２点を指定する方法は、まず、タッチペン５４により点Ａを指定し、一旦、タッチペン５４を操作パネル５３から離し、次に、点Ｂを指定するようになされているが、別の方法として、タッチペン５４で点Ａを指定した後、タッチペン５４を、操作パネル５３に接地させたまま、シールイメージ上の任意の位置まで移動させ、操作パネル５３からタッチペン５４を離した位置を点Ｂとする方法を採用しても良い。この場合、タッチペン５４が操作パネル５３上を移動中、タッチペン５４が触れている点を仮の点Ｂとして編集領域指定枠２６２を演算及び表示させるようにしても良い。こうすることにより、ユーザは、より容易に編集領域の範囲を指定することができる。
【０１７６】
図２１および図２４に戻って、ステップＳ６８で、編集領域画像２４１が表示されると、同時に、スクロールボタン２４２−１乃至２４２−４が表示される。例えば、スクロールボタン２４２−１をタッチペン５４で触れると、指定される編集領域の範囲が、シールイメージ２４５の上方にスライドしてゆく。
【０１７７】
同様に、スクロールボタン２４２−２をタッチペン５４で触れると、指定される編集領域の範囲が、シールイメージ２４５の右方にスライドしてゆく。同様に、スクロールボタン２４２−３をタッチペン５４で触れると、指定される編集領域の範囲が、シールイメージ２４５の左方にスライドしてゆく。同様に、スクロールボタン２４２−４をタッチペン５４で触れると、指定される編集領域の範囲が、シールイメージ２４５の下方にスライドしてゆく。
【０１７８】
図２４に示されるペン１３、文字１４、スタンプ１５、および消しゴム１６は、図１のペン１３−１、文字１４−１、スタンプ１５−１、および消しゴム１６−１と同一のものである。なお、図２４においては、ペン１３が、タッチペン５４で触れることにより指定されており、オプションバー２４４として、ペン１３により落書きをした場合の、線の太さ、および色の指定を受け付けるようになっている。タッチペン５４で、オプションバー２４４上に触れることにより、ユーザは、線の太さと色を指定することができる。なお、文字１４、スタンプ１５、または消しゴム１６が指定されていた場合、それぞれ対応するオプションバー２４４が表示される。
【０１７９】
図２２のステップＳ６９において、CPU１０１は、タッチパネルＡから落書きが入力されたか否かを判定する。ユーザがタッチペン５４−１を利用して落書きを入力した場合、CPU１０１は、落書きが入力されたと判定し、ステップＳ７０の処理に進む。
【０１８０】
ステップＳ７０において、表示プロセッサＡは、CPU１０１からの指示に基づいて、タッチパネルＡの編集領域画像２４１に入力された落書きを、メモリに記憶されている編集イメージの対応する位置に書き加える。
【０１８１】
ステップＳ７１において、表示プロセッサＡは、CPU１０１からの指示に基づいて、メモリに記憶した編集イメージを編集領域画像２４１に拡大表示させる。
【０１８２】
ステップＳ７２において、表示プロセッサＡは、CPU１０１からの指示に基づいて、メモリに記憶した編集イメージをシールイメージ２４５に重ねて表示させる。
【０１８３】
ステップＳ７３において、表示プロセッサＢは、CPU１０１からの指示に基づいて、ステップＳ７０の処理で、表示プロセッサＡの編集イメージに書き加えられた落書き情報を、自らのメモリに記憶されている編集イメージに書き加え、書き加えた画像情報をモニタＢに表示させる。その後、処理はステップＳ７４に進む。
【０１８４】
ステップＳ６９において、タッチパネルＡから落書きの入力はなかったと、CPU１０１が判定した場合、ステップＳ７４に進む。
【０１８５】
ステップＳ７４乃至ステップＳ７８の処理は、ステップＳ６９乃至ステップＳ７３の処理と同様の処理である。すなわち、落書き処理がタッチパネルＢから入力された場合、CPU１０１は、タッチパネルＢから入力され、モニタＢに表示されている落書きを、モニタＡに反映させて表示させる処理を行う。
【０１８６】
ステップＳ７８の処理が完了した場合、または、ステップＳ７４において、タッチパネルＢから落書きが入力されていないと判定された場合、ステップＳ７９の処理に進む。
【０１８７】
ステップＳ７９において、CPU１０１は、落書き処理の制限時間が経過したか否か、または、プリントボタン２０２が操作され、編集処理の終了が指示されたか否かを判定する。CPU１０１は、編集処理の制限時間が経過しておらず、かつ、編集処理の終了が指示されていないと判定した場合、ステップＳ８０の処理に進む。
【０１８８】
ステップＳ８０において、CPU１０１は、タッチペン５４を介して、シールイメージ２４５上に、新たな２点の入力があったか、または、スクロールボタン２４２−１乃至２４２−４のうちいずれかが操作されたか否かを判定することにより、編集領域の指定範囲が変更されたか否かを判定し、編集領域の指定範囲が変更されたと判定した場合、ステップＳ６６に戻り、上述したステップＳ６６以降の処理を繰り返す。
【０１８９】
ステップＳ８０において、CPU１０１が、編集領域の指定範囲は変更されていないと判定した場合、ステップＳ６９に戻り、上述したステップＳ６９以降の処理を繰り返す。
【０１９０】
ステップＳ７９において、CPU１０１が、編集処理の制限時間が経過したと判定した場合、または、編集処理の終了が指示された判定した場合、処理は、図８のステップＳ１６に進み、上述したステップＳ１６以降の処理が繰り返される。
【０１９１】
以上のような処理により、例えば、図２７に示すような画面が、モニタ１１０に表示され、落書きを受け付けた場合、最終的に図２８に示されるようなシールシート２８１が、ユーザに提供される。すなわち、図２７においては、シールイメージ２７２は、４つの同一の撮影画像により構成されている。そして、図２８に示されるように、４つの同一の撮影画像に、それぞれ異なる編集処理を施して、印刷することが可能となる。本発明の画像印刷装置４１は、このように、同一の画像に異なる編集処理(落書き)を施すこともできる。
【０１９２】
また、図２９および図３０に示すように、異なる撮影画像に、編集処理を施すことも、勿論、可能である。図２９は、モニタ１１０に表示された編集処理の画面の例である。シールイメージ２９２に示されるように、図２９においては、異なる４つの撮影画像により、シールイメージ２９２は構成されている。このようにして、編集を受け付けた後、画像が印刷されたシールシート３０１を図３０に示す。図３０においては、図２９において、作成されたシールイメージ２９２と編集イメージが重ね合わされ、印刷されたシールシート３０１が示されている。
【０１９３】
なお、以上においては、２つの操作パネル５３が設けられている画像印刷装置４１について説明したが、設置場所の可能な範囲で、操作パネル５３を２つ以上に増やしてもよい。
【０１９４】
さらに、操作パネル５３のそれぞれに、１つづつタッチペン５４が設けられるとしたが、CPU１０１が処理できる範囲で、１つの操作パネル５３に対して複数のタッチペン５４を用意しても良い。
【０１９５】
ところで、画像印刷装置４１の管理者は、画像印刷装置４１内に装填しているシールシートがなくなりそうになった場合、新しいシール紙ユニット１２０に交換することにより、シールシートを補充する。シールシートの補充に際し、画像印刷装置４１のCPU１０１は、シール紙ユニット１２０に付されているIDタグ１２１を照合することにより、補充されたシールシートが、画像印刷装置４１に適合したものか否かを判別することができる。次に、図３１を参照して、シールシート(シール紙１２２)のID検出処理について説明する。
【０１９６】
ステップＳ１０１において、CPU１０１は、画像印刷装置４１の所定の位置に、シール紙ユニット１２０が装着されたか否かを監視し、シール紙ユニット１２０が装着された場合、ステップＳ１０２に進む。
【０１９７】
ステップＳ１０２において、CPU１０１からの指令により、IDタグリーダ／ライタ１０７は、シール紙ユニット１２０に付されているIDタグ１２１のIDを読み取り、CPU１０１に送信する。
【０１９８】
ステップＳ１０３において、CPU１０１は、ステップＳ１０２において、IDタグリーダ／ライタ１０７より受信したIDと、予めROM１０２に記憶しているシール紙IDを照合し、両IDが同一であった場合、ステップＳ１０４に進み、CPU１０１からの指令により、表示プロセッサ１０８−１は、モニタ１１０−１に、画像印刷装置４１が使用可能(ゲーム可能)である旨のメッセージを表示させる。
【０１９９】
ステップＳ１０５において、CPU１０１は、画像印刷装置４１を通常のゲーム可能な状態(図７のステップＳ１の状態)に復帰させる。
【０２００】
ステップＳ１０３において、CPU１０１が、IDタグリーダ／ライタ１０７より受信したIDと、予めROM１０２に記憶しているシール紙IDが一致しないと判定した場合、ステップＳ１０６に進み、CPU１０１からの指令により、表示プロセッサ１０８−１は、モニタ１１０−１に、画像印刷装置４１が使用不可能(ゲーム不可能)である旨のメッセージを表示させる。
【０２０１】
ステップＳ１０７において、CPU１０１は、画像印刷装置４１が使用不可能(ゲーム不可能)に設定する。その方法としては、例えば、硬貨投入口５９から硬貨を投入されないように、硬貨投入口５９にシャッタを下ろすことなどが可能である。
【０２０２】
なお、本実施の形態においては、シール紙ユニット１２０にIDタグ１２１を付すようにしたが、シール紙ユニット１２０に装填されているシール紙１２２の種類を識別することが可能であれば、その他の方法により、シール紙１２２を識別するようにしても構わない。
【０２０３】
例えば、IDタグ１２１の代わりに、バーコード、ICカード等の方法を用いて、シール紙ユニット１２０を識別するようにしてもよい。また、シール紙ユニット１２０の画像印刷装置への装着部分の形状を、画像印刷装置の機種毎に異なるものにし、適合するシール紙ユニット１２０だけ、画像印刷装置４１に装着可能なようにしても良い。
【０２０４】
また、シール紙１２２とシール紙ユニット１２０を分離可能に構成することも可能であり、また、一体的に構成することも可能である。
【０２０６】
【発明の効果】
本発明の画像印刷装置によれば、印刷媒体に印刷される画像の配置に関する複数の候補の中から、ユーザからの望みの配置の選択を受け付け、撮影された被写体の画像を、受け付けられた選択に従って配置し、印刷媒体に印刷される画像のイメージを作成し、作成されたイメージを表示し、表示されたイメージの一部を、ペンによる手書き編集入力を受け付ける編集領域として指定し、指定された編集領域の画像を表示し、表示された編集領域の画像に対して入力される、隣り合う画像に跨って重ねて入力可能なペンによる手書き編集入力を受け付け、受け付けられたペンによる手書き編集入力に基づいてイメージを編集するようにしたので、シールシートの任意の位置に、落書き(編集操作)を入力することができる。
【図面の簡単な説明】
【図１】従来の画像印刷装置のモニタの表示例である。
【図２】従来の画像印刷装置により作成されたシールシートの例である。
【図３】本発明を適用した画像印刷装置の例を示す斜視図である。
【図４】図３の画像印刷装置の配置例を示す図である。
【図５】図４の配置を上方から見た場合の図である。
【図６】図３の画像印刷装置の内部の構成例を示すブロック図である。
【図７】画像印刷装置の印刷処理を説明するフローチャートである。
【図８】画像印刷装置の印刷処理を説明する図７に続くフローチャートである。
【図９】デモ画面の表示例を説明する図である。
【図１０】シールレイアウト選択画面の例を説明する図である。
【図１１】説明画面の表示例を説明する図である。
【図１２】取り込み画像の例を説明する図である。
【図１３】撮影画面の例を説明する図である。
【図１４】印刷写真選択画面の例を説明する図である。
【図１５】明るさ調整画面の例を説明する図である。
【図１６】落書き画面の例を説明する図である。
【図１７】案内画面の例を説明する図である。
【図１８】図３の画像印刷装置により画像が印刷されたシールシートの例を示す図である。
【図１９】図８のステップＳ１５の処理を詳細に説明するフローチャートである。
【図２０】落書き画像選択画面の例を示す図である。
【図２１】図１９のステップＳ３３の処理を詳細に説明するフローチャートである。
【図２２】図１９のステップＳ３３の処理を詳細に説明する図２１に続くフローチャートである。
【図２３】画像配置選択画面の例を示す図である。
【図２４】シールシート単位での落書き画面の例を説明する図である。
【図２５】編集領域の指定方法を説明する図である。
【図２６】他の編集領域の指定方法を説明する図である。
【図２７】シールシート単位での落書き画面の例を説明する、別の図である。
【図２８】図２７の落書き画面により編集された画像が印刷されたシールシートの例を示す図である。
【図２９】シールシート単位での落書き画面の例を説明する、さらに別の図である。
【図３０】図２９の落書き画面により編集された画像が印刷されたシールシートの例を示す図である。
【図３１】画像印刷装置のID検出処理を説明するフローチャートである。
【符号の説明】
４１  画像印刷装置
５０  筐体
５１−１および５１−２  スピーカ
５２−１および５２−２  照明装置
５３−１および５３−２  操作パネル
５４−１および５４−２  タッチペン
５５  CCDカメラ
５６  撮影画像表示部
５７  撮影装置
５８  駆動装置
５９  硬貨投入口
６０  シール取出口
６１  足リモコン
６２  UPS
６３  硬貨収納部
６４  階段
１００  バス
１０１  CPU
１０２  ROM
１０３  RAM
１０４  ドライバ
１０５  硬貨処理部
１０６  プリンタ
１０７  IDタグリーダ／ライタ
１０８−１および１０８−２  表示プロセッサ
１０９−１および１０９−２  タッチパネル
１１０−１および１１０−２  モニタ
１１１−１および１１１−２  音声出力装置
１２０  シール紙ユニット
１２１  IDタグ
１２２  シール紙
【図１】
0003897233.tif 000002
【図２】
0003897233.tif 000003
【図３】
0003897233.tif 000004
【図４】
0003897233.tif 000005
【図５】
0003897233.tif 000006
【図６】
0003897233.tif 000007
【図７】
0003897233.tif 000008
【図８】
0003897233.tif 000009
【図９】
0003897233.tif 000010
【図１０】
0003897233.tif 000011
【図１１】
0003897233.tif 000012
【図１２】
0003897233.tif 000013
【図１３】
0003897233.tif 000014
【図１４】
0003897233.tif 000015
【図１５】
0003897233.tif 000016
【図１６】
0003897233.tif 000017
【図１７】
0003897233.tif 000018
【図１８】
0003897233.tif 000019
【図１９】
0003897233.tif 000020
【図２０】
0003897233.tif 000021
【図２１】
0003897233.tif 000022
【図２２】
0003897233.tif 000023
【図２３】
0003897233.tif 000024
【図２４】
0003897233.tif 000025
【図２５】
0003897233.tif 000026
【図２６】
0003897233.tif 000027
【図２７】
0003897233.tif 000028
【図２８】
0003897233.tif 000029
【図２９】
0003897233.tif 000030
【図３０】
0003897233.tif 000031
【図３１】
0003897233.tif 000032